(57)【要約】【課題】  連続撮影された一連の画像の中で削除された画像を検出することができ、かつ削除された画像に代わる代替画像の表示形態を制御することができる画像表示装置を提供する。【解決手段】  連続撮影された画像であることを示す情報、連続撮影された順序を示す情報及び撮影時間に関する情報の少なくとも一の情報が付加された一連の画像が記録されている記録媒体１７から、該一連の画像を読み出す読出部１３と、読出部１３により記録媒体１７から読み出された一連の画像を順次表示する表示部３と、一連の画像に付加されている情報に基づいて、一連の画像の中で記録媒体から削除されている画像の有無を検出する検出部１３と、撮影時間間隔または該撮影時間間隔に比例した時間間隔で、一連の画像を表示部３に順次表示している場合において、検出部１３により削除されている画像が検出されたときに、削除されている画像に代わって表示部３に表示される代替画像の表示形態を制御する表示制御部１３とを備える。【選択図】  図２
2010199688.tif 000002
【特許請求の範囲】
【請求項１】
連続撮影された画像であることを示す情報、連続撮影された順序を示す情報及び撮影時間に関する情報の少なくとも一の情報が付加された一連の画像が記録されている記録媒体から、該一連の画像を読み出す読出部と、
前記読出部により前記記録媒体から読み出された前記一連の画像を順次表示する表示部と、
前記一連の画像に付加されている前記情報に基づいて、前記一連の画像の中で前記記録媒体から削除されている画像の有無を検出する検出部と、
撮影時間間隔または該撮影時間間隔に比例した時間間隔で、前記一連の画像を前記表示部に順次表示している場合において、前記検出部により前記削除されている画像が検出されたときに、前記削除されている画像に代わって前記表示部に表示される代替画像の表示形態を制御する表示制御部と、
を備えることを特徴とする画像表示装置。
【請求項２】
前記表示制御部は、前記表示形態として、前記代替画像の内容、及び前記代替画像の表示時間を制御することを特徴とする請求項１記載の画像表示装置。
【請求項３】
前記表示制御部は、前記削除されている画像の前及び後に撮影された画像の少なくとも一方を、前記代替画像として表示することを特徴とする請求項１または請求項２記載の画像表示装置。
【請求項４】
前記表示制御部は、前記代替画像の表示を行っている間、前記削除されている画像が前記記録媒体から削除されていることを報知する表示を並行して行うことを特徴とする請求項１〜請求項３の何れか一項に記載の画像表示装置。
【請求項５】
前記記録媒体は、１コマ撮影された単写画像を記録しており、
前記表示制御部は、前記単写画像及び前記一連の画像を前記表示部に表示する際に、前記一連の画像の表示時間を前記単写画像の表示時間より短くすることを特徴とする請求項１〜請求項４の何れか一項に記載の画像表示装置。
【発明の詳細な説明】
【技術分野】
【０００１】
本発明は、連続撮影された画像を順次表示する画像表示装置に関するものである。
【背景技術】
【０００２】
複数の画像に記録された撮影時間から差分を計測し、計測された差分に基づいて連続撮影されたと判断された一連の画像を、その差分を表示時間としてスライドショー形式で再生表示する画像再生表示装置が提案されている（例えば、特許文献１参照）。
【先行技術文献】
【特許文献】
【０００３】
【特許文献１】特開２００６−４１５８６号公報
【発明の概要】
【発明が解決しようとする課題】
【０００４】
ところで、特許文献１記載の画像再生表示装置では、連続撮影された一連の画像の中で削除された画像が存在する場合において、削除された画像が存在することを検出することができなかった。また、削除された画像の前後に撮影された画像の撮影時間の差分を計測するため、削除された画像の前後に撮影された画像が連続撮影されたものでないと判断されるおそれがあった。
【０００５】
本発明の目的は、連続撮影された一連の画像の中で削除された画像を検出することができ、かつ削除された画像に代わる代替画像の表示形態を制御することができる画像表示装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の画像表示装置は、連続撮影された画像であることを示す情報、連続撮影された順序を示す情報及び撮影時間に関する情報の少なくとも一の情報が付加された一連の画像が記録されている記録媒体（１７）から、該一連の画像を読み出す読出部（１３）と、前記読出部（１３）により前記記録媒体（１７）から読み出された前記一連の画像を順次表示する表示部（３）と、前記一連の画像に付加されている前記情報に基づいて、前記一連の画像の中で前記記録媒体（１７）から削除されている画像の有無を検出する検出部（１３）と、撮影時間間隔または該撮影時間間隔に比例した時間間隔で、前記一連の画像を前記表示部（３）に順次表示している場合において、前記検出部（１３）により前記削除されている画像が検出されたときに、前記削除されている画像に代わって前記表示部（３）に表示される代替画像の表示形態を制御する表示制御部（１３）とを備えることを特徴とする。
【発明の効果】
【０００８】
本発明の画像表示装置によれば、連続撮影された一連の画像の中で削除された画像を検出することができ、かつ削除された画像に代わる代替画像の表示形態を制御することができる。
【図面の簡単な説明】
【０００９】
【図１】実施の形態に係るデジタルカメラの外観を示す背面図である。
【図２】実施の形態に係るデジタルカメラのシステム構成を示すブロック図である。
【図３】画像データに付加される情報を説明するための図である。
【図４】画像データに付加される連続撮影に関する情報の具体例を示す図である。
【図５】画像データに付加される連続撮影に関する情報の具体例を示す図である。
【図６】画像データに付加される連続撮影に関する情報の具体例を示す図である。
【図７】実施の形態に係るデジタルカメラにおいて同一グループの連写画像をコマ送り再生する際の処理について説明するためのフローチャートである。
【図８】表示部の表示内容を示す図である。
【発明を実施するための形態】
【００１０】
以下、図面を参照して、本発明の実施の形態に係る画像表示装置について説明する。画像表示装置とは、例えばデジタルカメラ等の撮像装置やパソコン（ＰＣ）等、画像再生機能を有する装置のことである。なお、この実施の形態においては、画像表示装置としてデジタルカメラを例に挙げて説明するが、本発明はこれに限られるものでなく、再生コマ送りやスライドショー等の連続再生表示機能を有するものであれば適用可能である。
【００１１】
図１は、この実施の形態に係るデジタルカメラ１の外観を示す背面図である。図１に示すように、デジタルカメラ１の背面部には、ＬＣＤモニタ等により構成される表示部３が設けられており、表示部３には、ライブビュー画像、後述する記録媒体  に記録されている画像データに基づく画像、撮影に関する情報等が表示される。表示部３の右側には、表示部３に画像を再生表示しているときに画像の切換えやコマ送り再生等を行う際に操作されるマルチセレクタ５が設けられている。また、表示部３の左側には、表示部３への画像の再生表示を指示する際に操作される再生ボタン７、コマ送り速度（例えば、１／４倍速、１／２倍速、２倍速、４倍速等）を指示する際に操作される速度ボタン９ａ〜９ｄが設けられている。また、デジタルカメラ１の上面部には、被写体の撮影を指示する際に操作されるレリーズボタン１１が設けられている。
【００１２】
図２は、この実施の形態に係るデジタルカメラ１のシステム構成を示すブロック図である。図１に示すように、デジタルカメラ１は、マイクロプロセッサ等により構成され、図示しないメモリ等から画像表示プログラムを読み込んで実行し、デジタルカメラ１の各部を統括的に制御する制御部１３を備えている。制御部１３には、撮像素子１５、記録媒体１７、表示部３、操作部１９が接続されている。撮像素子１５は、ＣＣＤまたはＣＭＯＳ等により構成され、図示しない撮影レンズを介した被写体光を撮像して撮像信号を制御部１３に対して出力する。制御部１３は、撮像素子１５からの撮像信号からをアナログ信号からデジタル信号に変換し、デジタル信号から画像データを生成し、生成された画像データに撮影日時、露出等の撮影に関する情報、及び後述する連続撮影に関する情報を付加する。
【００１３】
記録媒体１７は、デジタルカメラ１に設けられたカードスロット（図示せず）に着脱可能に装着される可搬性を有する記録媒体であり、例えば、ＣＦカード、ＳＤカード、スマートメディア等が用いられる。記録媒体１７には、制御部１３により生成された画像データ、画像データに付加される撮影に関する情報、及び連続撮影に関する情報等が所定の形式で記録される。操作部１９は、電源をオン／オフする電源スイッチ（図示せず）、マルチセレクタ５、再生ボタン７、速度ボタン９ａ〜９ｄ、レリーズボタン１１等を含んで構成されている。
【００１４】
このデジタルカメラ１では、１コマ撮影及び連続撮影を行うことができ、記録媒体１７には、１コマ撮影された単写画像の画像データ（以下、単写画像データという）及び連続撮影された連写画像の画像データ（以下、連写画像データという）の両方が撮影された順に記録されている。画像データには、図３に示すように、撮影に関する情報、連写フラグ、グループＩＤ、コマ順、コマ間隔等の情報を含む連続撮影に関する情報、及び縮小画像データが付加されている。図４は、画像データ０００１．ｊｐｇ〜００１０．ｊｐｇ（以下、画像データ００１〜０１０という）に付加されている連続撮影に関する情報を示す図である。
【００１５】
連写フラグは、連写画像データに対して立てられるフラグである。図４においては、フラグが立っていない画像データ００１，００７が単写画像データであり、フラグが立っている画像データ００２〜００６及び００８〜０１０が連写画像データであることを示している。グループＩＤは、連写画像データに対して付加されるＩＤであり、他の連続撮影された画像と区別するための識別記号である。図４においては、グループＩＤ「Ａ」の連写画像データ００２〜００６とグループＩＤ「Ｂ」の連写画像データ００８〜０１０とを区別するためにグループＩＤが付加されている。即ち、グループＩＤ「Ａ」の画像データ００２〜００６が同一グループの連写画像データであり、グループＩＤ「Ｂ」の画像データ００８〜０１０が同一グループの連写画像データであることを示している。
【００１６】
コマ順は、同一グループである一連の画像の中で撮影された順序を示す情報である。図４においては、グループＩＤ「Ａ」の一連の連写画像データ００２〜００６の中で、連写画像データ００２が１コマ目、００３が２コマ目、００４が３コマ目、００５が４コマ目、００６が５コマ目の画像であることを示している。同様に、グループＩＤ「Ｂ」の連写画像データ００７〜０１０もそれぞれ１コマ目〜３コマ目の画像であることを示している。コマ間隔は、１つ前のコマ順である連写画像データの画像が撮像される際に露光を開始した時刻から自身の連写画像データの画像が撮像される際に露光を開始した時刻までの差分である。図４においては、連写画像データ００３のコマ間隔が０．３秒となっているが、これは、１つ前のコマ順「１」である連写画像データ００２の画像が撮像される際に露光を開始した時刻から、連写画像データ００３の画像が撮像される際に露光を開始した時刻までの差分であることを示している。ここで、予め設定されたコマ速度（例えば、１秒間に１０コマ等）、即ち同じコマ間隔で撮像されるべき同一グループの連写画像データ００２〜００６のコマ間隔が一定でないのは、被写体の明暗の違いによる露光時間の変化、被写体の動きの違いによる焦点位置合せに要する時間の変化等によるものである。即ち、同一グループの連写画像データであっても各コマ間隔が一定でない場合がある。
【００１７】
デジタルカメラ１では、ユーザーにより再生ボタン７が押下されると、制御部１３は、記録媒体１７に記録されている単写画像データ００１に基づく画像を表示部３に表示する。次に、ユーザーによりマルチセレクタ５の右側が押下されると、制御部１３は、連写画像データ００２に基づく画像を表示部３に表示し、ユーザーによりマルチセレクタ５の右側が長押しされると、制御部１３は、画像データ００１〜０１０に基づく画像を表示部３に順に再生表示するコマ送り再生を行う。
【００１８】
コマ送り再生時において、例えば図５に示すように、ユーザーによりファイル名「０００４．ｊｐｇ」が「体育．ｊｐｇ」に変更された場合等、同一グループの連写画像データがコマ順と異なる順序で記録媒体１７に記録されている場合には、制御部１３は、連続撮影に関する情報に含まれているコマ順を取得し、同一グループの連写画像データにおいてはコマ順の順序に従ってコマ送り再生を行う。即ち、連写画像データ００３の画像が再生された後に連写画像データ「体育．ｊｐｇ」の画像が再生される。
【００１９】
また、コマ送り再生時において、単写画像は、予め設定されている表示時間間隔で順次表示され、連写画像は、画の動きが自然に変化するように撮影時間間隔、即ちコマ間隔で順次表示される。よって、予め設定されている表示時間が０．５秒である場合には、単写画像データ００１の画像は０．５秒、連写画像データ００２の画像は１コマ目であるから０．５秒、連写画像データ００３の画像は０．３秒、連写画像データ００４の画像は０．４秒、連写画像データ００５の画像は０．３秒、連写画像データ００６の画像は０．２秒…の間、表示部３に順次表示される。
【００２０】
なお、コマ送り再生前またはコマ送り再生中にユーザーにより速度ボタン９ａ〜９ｄのいずれかが押下されると、制御部１３は、コマ送り再生時における一画像の表示時間の長さを変更する。例えば、速度ボタン９ａを１／４倍速、同様に、速度ボタン９ｂ，９ｃ，９ｄをそれぞれ１／２倍速，２倍速，４倍速になるように予め設定している場合には、制御部１３は、ユーザーにより速度ボタン９ａが押下されると一画像の表示時間の長さ４倍に変更し、同様に、速度ボタン９ｂ，９ｃ，９ｄの何れかが押下されると一画像の表示時間の長さを１／２倍速，２倍速，４倍速の何れかになるように変更する。この際、単写画像及び連写画像の両方の表示時間の長さを変更するように設定することもでき、連写画像のみの表示時間の長さを変更するように設定することもできる。
【００２１】
また、コマ送り再生において、連写画像データの少なくとも１つ（例えば図６では、連写画像データ００５）が記録媒体１７から削除されている場合において、制御部１３は、その削除されている連写画像データの有無を検出し、その削除されている連写画像データに基づく画像に代わって表示部３に表示される代替画像の設定、及び代替画像の表示時間を制御する。
【００２２】
以下、図７に示すフローチャートを参照して、実施の形態に係るデジタルカメラ１において同一グループの連写画像をコマ送り再生する際の処理について説明する。
【００２３】
まず、制御部１３は、同一グループの連写画像データを記録媒体１７から読み出す（ステップＳ１０）。例えば、図６に示すグループＩＤ「Ａ」の連写画像データ００２，００３，００４，００６を読み出す。
【００２４】
次に、制御部１３は、ステップＳ１０において読み出したグループＩＤ「Ａ」の連写画像データ００２，００３，００４，００６に付加されている連続撮影に関する情報から、グループＩＤ「Ａ」の連写画像データの中で削除されている連写画像データの有無を検出する（ステップＳ１１）。具体的には、連写画像データ００２，００３，００４，００６の連続撮影に関する情報であるコマ順を取得し、抜けているコマの有無を検出し、４コマ目が抜けていることから４コマ目の連写画像データが削除されていると判断する。
【００２５】
削除されている連写画像データが有ることが検出された場合には（ステップＳ１１、Ｙｅｓ）、制御部１３は、削除されている連写画像データに基づく画像に代わって表示部３に表示される代替画像及びその代替画像の表示時間を設定する（ステップＳ１２）。まず、削除されている連写画像データ００５の１コマ前の連写画像データ００４に基づく画像を代替画像として設定する。なお、削除されている連写画像データ００５の１コマ後の連写画像データ００６に基づく画像、または黒画像等を代替画像として設定することもできる。または、連射画像データ００４及び００５に基づく画像を重ねて表示または順次表示、順次表示する場合には徐々に画像切換えを行う等、様々な画像を代替画像として設定することができる。
【００２６】
次に、代替画像の表示時間を設定する。まず、連写画像データ００４及び００６に付加されている連続撮影に関する情報であるコマ間隔、及び撮影に関する情報である撮影時間を取得する。そして、連写画像データ００６の撮影時間から連写画像データ００４の撮影時間までの差分を算出し、算出された差分から更に連写画像データ００４のコマ間隔及び連写画像データ００６のコマ間隔を差し引いた時間が、削除されている連写画像データ００５のコマ間隔（０．３秒）である。したがって、算出された連写画像データ００５のコマ間隔を代替画像の表示時間として設定する。
【００２７】
なお、撮影時間に関する情報が連写画像データに付加されていない場合には、削除されている連写画像データの１コマ前または後の連写画像データのコマ間隔を、または、同一グループの各連写画像データのコマ間隔の平均値を算出し、算出された平均値を表示時間として設定する。
【００２８】
削除されている連写画像データが有ることが検出され（ステップＳ１１、Ｙｅｓ）、代替画像及び表示時間を設定した後（ステップＳ１２）、または削除されている連写画像データがないことが検出された場合には（ステップＳ１１、Ｎｏ）、制御部１３は、グループＩＤ「Ａ」の連写画像データ００２に基づく画像から順に、連写画像データ００３に基づく画像を０．３秒間、連写画像データ００４に基づく画像を０．４秒間、表示部３に表示し、代替画像として設定された連写画像データ００４に基づく画像を、代替画像の表示時間として設定された０．３秒間、表示部３に表示し、最後に、連写画像データ００６に基づく画像を０．２秒間、表示部３に表示することにより、グループＩＤ「Ａ」の連写画像データ００２〜００６のコマ送り再生を行う（ステップＳ１３）。
【００２９】
なお、ステップＳ１３において、代替画像が表示部３に表示されている間、制御部１３は、ユーザーに対して連写画像データ００５が記録媒体１７から削除されていることを報知する表示を並行して行う。例えば図８に示すように、表示部３に代替画像である連写画像データ００４に基づく連写画像Ｉが表示されている間、記録媒体１７から削除されているコマ数Ｆ及び削除されていることを報知するメッセージＭを表示する。
【００３０】
この実施の形態に係るデジタルカメラ１によれば、同一グループの連写画像データの中で記録媒体１７から削除されている連写画像データを検出することができ、かつ削除されている連写画像データに基づく画像に代わる適切な代替画像及び適切な代替画像の表示時間を設定することができる。したがって、連写画像を実際の撮影時間間隔でコマ送り再生する際、少なくとも１つの連写画像データが削除されている場合においても連写画像を画の動きが自然に変化するように再生表示させることができる。
【００３１】
なお、上述の実施の形態においては、予め設定されたコマ速度（例えば、１秒間に１０コマ等）で撮影された連写画像を実際の撮影時間間隔でコマ送り再生する例について説明したが、連写画像は単写画像よりの変化が乏しいと判断し、連写画像の表示時間を単写画像の表示時間より短くするように設定することもできる。また、例えば、露出ブラケッティング撮影により撮影された画像、インターバルタイマー撮影（例えば、１時間に１コマ等）により撮影された画像等、変化が乏しい画像が数コマ続く可能性がある場合には、変化が乏しい数コマ分の画像については、他の単写画像よりも高速でコマ送り再生を行うように設定することもできる。なお、変化が乏しさ画像の判別方法として、例えば、ある画像データのファイルサイズとその画像データの前後のコマの画像データのファイルサイズとの差が所定値（予め設定する）以下であれば、その画像データに基づく画像は前後のコマの画像データに基づく画像と似ており、前後のコマの画像に対して変化が乏しい画像であると判別する方法がある。例えば、野生動物をインターバルタイマー撮影により撮影している場合等、動物が写っているコマと写っていないコマとではそれらの画像データのファイルサイズは大きくことなるが、すべての写っていないコマはそれらの画像データのファイルサイズは変わらない。したがって、動物が写っていない間は高速でコマ送り再生され、動物が写り始めると低速でコマ送り再生されることとなり効率的なコマ送り再生を行うことができる。
【００３２】
また、上述の実施の形態においては、同一グループの連写画像データの少なくとも１つが削除されている場合における、その連写画像のコマ送り再生を例に挙げて説明したが、コマ送り再生に限らず、一連の画像を連続的に順次表示させるスライドショー等にも本発明を適用することができる。
【符号の説明】
【００３３】
１…デジタルカメラ、３…表示部、５…マルチセレクタ、７…再生ボタン、９ａ〜９ｄ…速度ボタン、１３…制御部、１５…撮像素子、１７…記録媒体、１９…操作部。
【図１】
2010199688.tif 000003
【図２】
2010199688.tif 000004
【図３】
2010199688.tif 000005
【図４】
2010199688.tif 000006
【図５】
2010199688.tif 000007
【図６】
2010199688.tif 000008
【図７】
2010199688.tif 000009
【図８】
2010199688.tif 000010